(57)【要約】      （修正有）【課題】背中全体にボディローションを無駄なく塗布することができ、取り扱いが容易であり、洗浄が容易で、マッサージ効果をも得ることができるボディローションアプリケータを提供する。【解決手段】背中を含む身体上にローションを塗布するボディローションアプリケータ１において、柔軟素材から成る帯状アプリケータ本体２の両端部に、掌に当接する面を有する柔軟素材のループ状持ち手３を備える。また、前記アプリケータ本体２は、ローション非吸収性の外表面２１を有すると共に、この外表面の全体には、複数の連続した凹部から成りローションを溜めることができる貯溜部を備える。【選択図】図１
0003171397.tif 000002
【実用新案登録請求の範囲】
【請求項１】
背中を含む身体上にローションを塗布するボディローションアプリケータにおいて、
柔軟素材から成る帯状アプリケータ本体の両端部に、掌に当接する面を有する柔軟素材のループ状持ち手を備えており、
前記アプリケータ本体は、ローション非吸収性の外表面を有すると共に、
この外表面の全体には、複数の連続した凹部から成りローションを溜めることができる貯溜部を備えることを特徴とするボディローションアプリケータ。
【請求項２】
アプリケータ本体が、長辺で折り返した袋状であることを特徴とする請求項１に記載のボディローションアプリケータ。
【請求項３】
貯溜部が、ダイヤ柄状に配設されていることを特徴とする請求項１又は２に記載のボディローションアプリケータ。
【請求項４】
貯溜部が、格子状に配設されていることを特徴とする請求項１又は２に記載のボディローションアプリケータ。
【考案の詳細な説明】
【技術分野】
【０００１】
本考案は、ボディローションアプリケータに関し、詳しくは、背中を含む身体上にローションを塗布するボディローションアプリケータに関する。
【背景技術】
【０００２】
背中は、自身の手が届き難い箇所であることから、背中をケアするための道具が多く提案されている。
背中は、皮脂腺が集中し、汗を掻き易いことから、にきびをはじめとする肌トラブルが生じ易い。このため、背中の肌トラブルを防ぐためには、洗浄によって清潔に保つことに加えて、ボディローションを塗布することや、マッサージを施すといったことが効果的である。
【０００３】
特許文献１に記載の技術は、取っ手付き浴用タオルに関するものであり、縦長帯状のタオルの両端に、ループ状の取っ手を設けたものである。この技術によれば、自身の手が届き難い背中であっても、容易に洗浄することができる。
【０００４】
しかし、この技術をボディローションを塗布するために使用したとしても、ボディローションの大部分がタオルに染み込んだまま背中に塗布されず、背中にボディローションを塗布する目的には適さないという問題があった。また、背中に塗布されず、タオルに染み込んだままのボディローションが、無駄になるという問題があった。更にまた、使用したタオルには、ボディローションや皮脂が染み込んでいるため、これらを洗浄しタオルを清潔に保つことが容易でないという問題があった。
【０００５】
特許文献２に記載の技術は、背中用軟膏塗布具に関するものであり、一定の長さを有する柔軟な帯状物であって、この帯状物の中央部に布帛からなる軟膏を保持し塗布する軟膏塗布部材を着脱自在に取り付けたものである。この技術によれば、自身の手が届き難い背中であっても、軟膏を塗布することができる。
【０００６】
しかし、この技術といえども、背中全体にローションを塗布する目的には適さず、更には、軟膏を布帛に馴染ませ、この布帛を背中用軟膏塗布具に着用しなければならず、取り扱いが面倒であるという問題があった。また、マッサージ効果を得るための構成はない。
【先行技術文献】
【特許文献】
【０００７】
【特許文献１】登録実用新案第３０５５０２１号
【特許文献２】特開２００１−００９０４４
【考案の開示】
【考案が解決しようとする課題】
【０００８】
そこで、本考案の課題は、背中全体にボディローションを無駄なく塗布することができ、取り扱いが容易であり、洗浄が容易で、マッサージ効果をも得ることができるボディローションアプリケータを提供することにある。
【課題を解決するための手段】
【０００９】
上記課題を解決する本考案は、下記構成を有する。
１．背中を含む身体上にローションを塗布するボディローションアプリケータにおいて、
柔軟素材から成る帯状アプリケータ本体の両端部に、掌に当接する面を有する柔軟素材
のループ状持ち手を備えており、
前記アプリケータ本体は、ローション非吸収性の外表面を有すると共に、
この外表面の全体には、複数の連続した凹部から成りローションを溜めることができる貯溜部を備えることを特徴とするボディローションアプリケータ。
【００１０】
２．アプリケータ本体が、長辺で折り返した袋状であることを特徴とする前記１に記載のボディローションアプリケータ。
【００１１】
３．貯溜部が、ダイヤ柄状に配設されていることを特徴とする前記１又は２に記載のボディローションアプリケータ。
【００１２】
４．貯溜部が、格子状に配設されていることを特徴とする前記１又は２に記載のボディローションアプリケータ。
【考案の効果】
【００１３】
前記１に示す考案によれば、アプリケータ本体の外表面にボディローションを塗り広げると、複数の連続した凹部にボディローションが貯溜し、この状態で背中を擦るようにして使用すれば、背中全体にボディローションを無駄なく塗布することができ、取り扱いが容易である。また、アプリケータ本体の外表面を、ローション非吸収性とすることで、外表面を水で軽く洗い流したり、布や紙で拭くことで、アプリケータの洗浄を容易にすることができ、清潔に保つことができる。更にまた、複数の連続した凹部により、アプリケータ本体の外表面に凹凸ができ、ボディローションの塗布と同時に、マッサージ効果をも得ることができる。
【００１４】
前記２に示す考案によれば、アプリケータ本体を形成するローション非吸水性の織布若しくは不織布又は合成皮革等の帯状柔軟素材の一面にだけ貯溜部を設け、この貯溜部が設けられた面を外表面として、長辺で折り返し袋状とすることで、両面を使用可能なボディローションアプリケータを得ることができる。
【００１５】
前記３又は４に示す考案によれば、外表面全体に貯溜部を設けてあり、マッサージ効果が促進され、意匠性をも考慮したボディローションアプリケータを得ることができる。
【図面の簡単な説明】
【００１６】
【図１】本考案に係るボディローションアプリケータの一実施例を示す説明図
【図２】両端部周辺を示す部分説明図
【図３】貯溜部の配設を示すアプリケータ本体の外表面の部分拡大図
【考案を実施するための最良の形態】
【００１７】
添付の図面に従って、本考案に係るボディローションアプリケータ１を詳細に説明する。
本考案に係るボディローションアプリケータ１は、図１に示すとおり、アプリケータ本体２と、持ち手３から構成される。
【００１８】
本考案に係るボディローションアプリケータ１は、背中を含む身体上に、ボディローションを塗布するためのアプリケータ（塗布具）であり、特に、手が届き難い背中にボディローションを塗布するために便利なものである。また、ボディローションを塗布すると同時に、マッサージ効果をも得ることができる。
尚、本考案に係るボディローションアプリケータ１によって塗布されるボディローションに限定はなく、液体状、クリーム状又はゲル状等の化粧品をいい、にきび等の肌トラブルを防止又は抑止するための肌ケア用ボディローションとして、公知公用のものを使用す
ることができる。
【００１９】
アプリケータ本体２は、ボディローションを塗布し、これを背中に当て、背中を洗うようにして動かすことにより、背中にボディローションを塗布する役割を果たす。また、摩擦によって、背中をマッサージする役割をも果たす。
持ち手３は、ボディローションアプリケータ１を使用する者が、手を掛けるための部材であって、アプリケータ本体２を背中に当てて動かすことを補助する役割を果たす。
【００２０】
アプリケータ本体２は、図１に示すとおり、長辺と短辺を有する帯状の形態であって、外表面２１、貯溜部２２及び両端部２３から構成される。
アプリケータ本体２を形成するためには、帯状の柔軟素材の長辺を折り返して二重にし、重ねられた長辺の端部を縫合することにより、袋状にして形成することができる。この場合、図２に示すとおり、折返部２４及び縫合部２５が設けられることになる。
また、アプリケータ本体２を形成するためには、他の方法を用いることができる。例えば、１枚の帯状の柔軟素材を一重で使用することもできるし、２枚の帯状の柔軟素材を重ね合わせて二重にし、両長辺を縫合することもできる。
【００２１】
アプリケータ本体２は、前記のとおり、帯状の柔軟素材から構成される。また、アプリケータ本体２に使用される柔軟素材は、外表面２１が、ローションを吸収しない（ローション非吸収性）素材である。
このローション非吸収性の素材として、例えば、外表面２１がポリウレタンであって、その裏面は起毛ポリエステルであるポリウレタンレザー（ＰＵレザー）を挙げることができる。この素材を使用することにより、アプリケータ本体２は、適度な柔軟性と保形性、そしてローション非吸収性を得ることができる。
【００２２】
アプリケータ本体２の素材として、外表面２１がローション非吸水性の素材を採用する理由は、ボディローションがアプリケータ本体２の内部に染み込み、背中等の身体上に塗布する分が奪われないようにすると共に、使用後に洗浄する際にも、水で流したり、布や紙で拭き取ることで、簡単にボディローションや付着した皮脂を取り除くことができ、素早く乾燥させることもできることから、ボディローションアプリケータ１を衛生に保つことができるためである。
【００２３】
外表面２１には、貯溜部２２が設けられる。
貯溜部２２は、図１〜図３に示すとおり、複数の連続した凹部からなり、ボディローションを外表面２１に塗り広げた際に、この貯溜部２２にボディローションを溜め留めることができる。貯溜部２２を形成する凹部は、外表面２１より窪んだ点又は短い線等であれば、その態様に限定はない。
【００２４】
前述のとおり、貯溜部２２は、複数の連続した凹部から構成される。連続した凹部とは、複数の凹部が適当な間隔で連なっていればよく、例えば、図３（ａ）〜（ｆ）のような態様を挙げることができる。図３において、（ａ）はいわゆるダイヤ柄、（ｂ）は格子状、（ｃ）は縦縞（ストライプ柄）、（ｄ）は横縞（ボーダー柄）、（ｅ）は波柄、（ｆ）は水玉柄に凹部を配設し、貯溜部２２を形成した例である。中でも、図３（ａ）のダイヤ柄や、図３（ｂ）の格子状に凹部を配設し、貯溜部２２を形成することが好ましい。これは、ボディローションを溜める凹部が、アプリケータ本体２の全体に配設され、ボディローションを満遍なく塗布することができ、マッサージ効果も高く、併せて、意匠性・審美性も優れるためである。
【００２５】
両端部２３は、アプリケータ本体２の短辺側の端部を指し示す。両端部２３には、後述する持ち手３が形成される。
両端部２３は、アプリケータ本体２を形成する柔軟素材の端部をもって両端部２３とすることもできるが、図２に示すとおり、他部材でもって両端部２３を形成することもできる。この場合の両端部２３は、アプリケータ本体２と、持ち手３とを連結する役割を果たす。例えば、図２に示すように、アプリケータ本体２の端部と、持ち手３の端部とを覆うように形成し、縫合することができる。尚、両端部２３を形成する素材に限定はなく、アプリケータ本体２や、後述する持ち手３と同素材でもよいし、異なる素材であってもよい。
【００２６】
前述したが、アプリケータ本体２を形成するためには、帯状の柔軟素材の長辺を折り返して二重にし、重ねられた長辺の端部を縫合することにより、袋状にして形成することができる。この場合、図２に示すとおり、折返部２４及び縫合部２５が設けられることになる。
折返部２４は、アプリケータ本体２の長辺を折り返した部分を指し示す。
【００２７】
縫合部２５は、帯状の柔軟素材の長辺を折り返して二重にし、重ねられた長辺の端部を縫合した部分を指し示す。尚、当該部分の名称を縫合部としたが、重ねられた長辺の端部が開かないように固着させる手段であれば、例えば、接着等の縫合以外の手段を採用することができる。図２に示す縫合部２５の態様は、裏側で縫合する袋縫い等の手段で縫合したものであるが、本発明においては、縫合手段として公知公用の手段を採用することができる。
【００２８】
持ち手３は、図１及び図２に示すとおり、アプリケータ本体２の両端部２３に形成される。
持ち手３は、柔軟素材により形成され、手を通すことができるループ状の形態を有する。
【００２９】
また、持ち手３は、図２に示すように、使用者の掌に当接する当接面３１を有する形態である。持ち手３の形態としては、ループ状で当接面３１を有する形態であればよく、例えば、図２に示すような帯状の形態を採用することができる。
持ち手３を形成する素材は、柔軟素材であればよく、柔軟素材として公知公用のものを際限なく採用することができる。
【００３０】
本発明に係るボディローションアプリケータ１の使用方法について説明する。
先ず、アプリケータ本体２の外表面２１に、ボディローションを塗り広げ、貯溜部２２にボディローションを溜める。
続いて、両方の持ち手３に手を通し、掌を当接面３１に当てる。
【００３１】
そして、背中等の肌ケアをしたい箇所に、外表面２１を当て、ボディローションアプリケータ１全体を動かすことにより、貯溜部２２に溜められたボディローションは、肌に塗布される。また、外表面２１に、貯溜部２２を形成する凹部が複数設けられているため、肌を刺激し、マッサージ効果をも得ることができる。
使用後は、水で流したり、布や紙で拭き取ることで、簡単にボディローションや付着した皮脂を取り除くことができ、素早く乾燥させることもできることから、ボディローションアプリケータ１を衛生に保つことができる。
【符号の説明】
【００３２】
１  ボディローションアプリケータ
２  アプリケータ本体
２１  外表面
２２  貯溜部
２３  両端部
２４  折返部
２５  縫合部
３  持ち手
３１  当接面
【図１】
0003171397.tif 000003
【図２】
0003171397.tif 000004
【図３】
0003171397.tif 000005